(57)【要約】【課題】通帳カセットに通帳を装填する際に、不揃い、特に飛び出しをなくし、通帳冊数の計数を正確に行えるようにする。【解決手段】所定位置で掛止可能とし、通帳繰出し部１２側へ通帳１４を押圧するとともに移動可能な押圧部材１５と、装填されている通帳背部１４ａの上面位置に配置し、通帳背部１４ａの位置を規制しながら通帳装填空間内から押圧部材１５の移動とともに進退可能に形成した通帳上面ガイド１７ａ、１７ｂを設ける。さらに、通帳上面ガイド１７ａ、１７ｂが開いた状態において通帳カセット１１の外に突出する突起部２１を設けた。【選択図】図１
2008140239.tif 000002
【特許請求の範囲】
【請求項１】
媒体背部を有する複数の媒体を装填した媒体カセットを配し、当該媒体カセットに装填した前記媒体冊数を計数可能な媒体取扱装置であって、
前記媒体カセットには、
装填されている媒体を繰出すための媒体繰出し部と、
所定位置で掛止可能とし、前記媒体繰出し部側に前記媒体を押圧するとともに移動可能な押圧部材と、
前記装填されている媒体の媒体背部の位置を規制するとともに、媒体装填空間内から進退可能に形成した媒体ガイド部材を設け、
前記押圧部材の移動とともに前記媒体ガイド部材が進退することを特徴とする媒体取扱装置。
【請求項２】
前記媒体カセットを本装置から着脱可能とし、
前記媒体ガイド部材が媒体装填空間内から退避しているとき、前記媒体カセットが本装置に装着困難としたことを特徴とする請求項1記載の媒体取扱装置。
【請求項３】
装填されている媒体を繰出すための媒体繰出し部と、
所定位置で掛止可能とし、前記媒体繰出し部側に前記媒体を押圧するとともに移動可能な押圧部材と、
前記装填されている媒体の媒体背部の位置を規制するとともに、媒体装填空間内から進退可能に形成した媒体ガイド部材を設け、
前記押圧部材の移動とともに前記媒体ガイド部材が進退することを特徴とする媒体カセット。
【請求項４】
前記押圧部材が掛止位置にあるとき、媒体ガイド部材が媒体装填空間内から退避していることを特徴とする請求項３記載の媒体カセット。
【発明の詳細な説明】
【技術分野】
【０００１】
本発明は、金融機関等で用いられる通帳等の冊子状媒体に印字や磁気リード・ライトを施し発行する媒体処理装置であって、特に通帳を取り扱う媒体取扱装置および媒体カセットに関する。
【背景技術】
【０００２】
従来、この種の媒体取扱装置は、顧客により挿入された通帳に取引内容を順次印字し、当該通帳の印字可能部分がなくなった場合に、新しい通帳を装填した媒体カセットよりその通帳を繰出して発行する媒体繰出し部を有している。
【０００３】
そして、通帳残量冊数を正確に検知するために、通帳に光を発光する発光素子と、通帳との距離が大きくなるほど弱くなる反射光を検知して、反射光に応じた電気信号に変換する受光素子を有するフォトリフレクタが、媒体カセット内に揃えて装填した複数の新しい通帳背部の厚さ方向に走査することができるようにした。
【０００４】
この走査により、受光素子からの電気信号が当該通帳背部の形状に応じ、当該通帳背部の頂部では大きく、通帳間では小さくなることを検知して制御部により通帳冊数を計数するようになっている（例えば、特許文献１参照）。
【特許文献１】特開平８−７７２６８号公報
【発明の開示】
【発明が解決しようとする課題】
【０００５】
しかしながら、上記従来の媒体取扱装置では、通帳冊数を計数するためにフォトリフレクタを走査する際に、通帳背部が読み取りに必要な高さに揃えられていなかったり、一部通帳が飛び出した高さに位置する場合は、通帳冊数の計数を正確にできない場合があるという問題があった。
【課題を解決するための手段】
【０００６】
本発明は、前述の課題を解決するために次の手段を採用する。すなわち、媒体背部を有する複数の媒体を装填した媒体カセットを配し、当該媒体カセットに装填した前記媒体冊数を計数可能な媒体取扱装置であって、前記媒体カセットには、装填されている媒体を繰出すための媒体繰出し部と、所定位置で掛止可能とし、前記媒体繰出し部側に前記媒体を押圧するとともに移動可能な押圧部材と、前記装填されている媒体の媒体背部の位置を規制するとともに、媒体装填空間内から進退可能に形成した媒体ガイド部材を設け、前記押圧部材の移動とともに前記媒体ガイド部材が進退するようにした。
【発明の効果】
【０００７】
本発明の媒体取扱装置によれば、装填されている媒体の媒体背部の位置を規制するとともに、媒体装填空間内から進退可能に形成した媒体ガイド部材を設けたので、媒体がフォトリフレクタ側に飛び出すことがなくなり、フォトリフレクタとの距離を一定にしやすいので、フォトリフレクタによる媒体冊数の計数を正確に行うことができる。
【発明を実施するための最良の形態】
【０００８】
以下、本発明に係る実施の形態例を、図面を用いて説明する。図面に共通する要素には同一の符号を付す。なお、以下説明する媒体取扱装置の実施例の説明では、媒体として一般に使用される通帳を例として説明するがこれに限定するものではない。
【実施例】
【０００９】
（構成）
まず、図８により本実施例の媒体（以後、通帳とする）の構成を説明する。通帳１４は、媒体背部（以後、通帳背部とする）１４ａおよび、磁気リード・ライトが行なわれる磁気ストライプ２７を有している。この通帳背部１４ａは通帳１４の中紙を表紙と縫い合わせ二つ折りにした部位に相当する、いわゆるセンターオールド（綴部）である。
【００１０】
次に、本実施例の媒体取扱装置全体の構成を、図５に示す媒体取扱装置の構成図を用いて説明する。
【００１１】
図５に示す媒体取扱装置１には、通帳１４、または図示しない証書を繰出し可能に装填する通帳証書繰出装置２が具備され、その上部に通帳１４または証書を搬送する搬送路３が設けられている。
【００１２】
前記搬送路３に沿って、通帳１４を改頁する改頁部４、通帳１４の頁および印字済み行を検出する頁・印字済行検出部５、通帳１４または証書に印字を行う印字部６、通帳１４の繰り越しが発生した場合や、排出した通帳１４を顧客が取り忘れた場合などに、通帳１４を一時的に保留しておくための機構である取込部１０、および通帳１４に設けられている磁気ストライプ２７に磁気リード・ライト処理を施す磁気リード・ライト部７が設けられている。
【００１３】
また、媒体取扱装置１の上部には、取引内容を表示する表示部９並びに印字および磁気リード・ライト処理を施した通帳１４と、印字処理を施した証書を排出する通帳証書排出部８を有している。
【００１４】
次に、通帳証書繰出装置２について説明する。図５において、通帳証書繰出装置２には、中央部に図示しない複数の支柱が設けられており、当該支柱の一部にはベルトが巻き掛けられたプーリが軸支されている。そして、一方のプーリには回転駆動源として、モータが接続されている。
【００１５】
２６は通帳証書キャリアであって、ガイド体により、後述する媒体繰出し部（以後、通帳繰出し部とする）１２より繰出された通帳１４、および証書繰出し部より繰出された証書を、図５の破線で示す下端位置から実線で示す上端位置まで移動し、通帳１４や証書を搬送路３へ受け渡す構成となっている。
【００１６】
そして、図示しない駆動回路によりモータが駆動すると、ベルトの一部に取り付けられた通帳証書キャリア２６が、ガイド体に沿って上下動する。
【００１７】
また通帳証書繰出装置２には、図示しない証書が装填される、複数（本実施例では３個）の証書カセット１６が着脱可能にセットされており、当該証書は証書カセット１６に水平状態で装填されている。
【００１８】
前記証書カセット１６の図示の右側には、証書繰出し部が設けられ、装填された証書が１枚ずつ繰出されるようになっている。各証書カセット１６には、証書の枚数を計数する証書計数部２８が、図示しない駆動手段により矢印Ａ方向に動作し、それぞれの証書カセット毎に計数可能に制御されている。
【００１９】
さらに本実施例の通帳証書繰出装置２には、通帳１４が装填される複数（１０個）の媒体カセット（以後、通帳カセットとする）１１、１１ａが、通帳証書繰出装置２の設置方向に対して上下左右方向に並設されている。
【００２０】
本実施例では、各通帳カセット１１、１１ａが２列に並設され、図５における右側の通帳カセット１１は左側に通帳繰出し部１２を有し、左側の通帳カセット１１ａは右側に通帳繰出し部１２ａを有している。そして通帳繰出し部１２、１２ａから通帳カセット１１、１１ａに装填されている通帳１４が繰出される。
【００２１】
また、通帳カセット１１、１１ａは、互いに通帳繰出し部１２、１２ａを先頭に向き合うようにセットされており、通帳カセット１１、１１ａは通帳証書繰出装置２に対して着脱可能な構造となっている。
【００２２】
さらに、通帳カセット１１、１１ａの上方向には、通帳１４の冊数を計数する媒体計数部（以後、通帳計数部とする）１３、１３ａが、図示しない駆動手段により矢印Ｂ方向に動作可能に設けられている。
【００２３】
図６は本実施例の通帳計数部および通帳カセットの概略側面図を示しており、通帳カセット１１および通帳計数部１３を例に以下説明する。通帳計数部１３は、発光素子２４、および受光素子２３を有するフォトリフレクタ２５より構成されている。
【００２４】
発光素子２４は電気信号により光ａを発光し、この光ａが通帳背部１４ａに反射し、その反射光ｂが受光素子２３に検知されて図７に示す出力信号ｃに変換されることになる。
【００２５】
前記発光素子２４は例えば発光ダイオードから成っており、受光素子２３は例えばフォトトランジスタから成っている。また、フォトリフレクタ２５は図示しないシャフトにより滑動可能に支持され、図示しない駆動源により、装填される通帳１４の媒体装填空間上を移動できる。
【００２６】
通帳１４は、通帳カセット１１内に傾斜した状態で、且つ、通帳背部１４ａを上側にするように装填され、図示しないスプリングが取付けられた押圧部材１５により、矢印Ｄ方向の通帳繰出し部１２側、すなわち図５に示す通帳証書キャリア２６側へ押圧する構成となっている。
【００２７】
図７は本実施例のフォトリフレクタの出力波形を説明する図であり、フォトリフレクタ２５を図６の矢印Ｂ方向に移動して走査させた場合の、受光素子２３側の出力信号ｃを示している。
【００２８】
前記出力信号ｃは、図６に示すフォトリフレクタ２５と、測定の対象とする媒体である通帳１４間と通帳背部１４ａとの距離ｄによって変化する。すなわち、距離ｄが小さいほど反射光ｂが強いので出力が大きくなり、距離ｄが大きいほど反射光ｂが弱いので出力が小さくなるため、図７に示すような波形となる。
【００２９】
このことから、出力が大きくなる通帳背部１４ａの頂部の出力と、出力が小さくなる通帳１４間（谷間）の出力の間にスライスレベルｅを設定する。そして、出力がスライスレベルｅを超えてピークｆを形成する回数を、図示しない制御部により計数することにより、通帳冊数を算出できるようになっている。なお、出力信号ｃは測定の対象とする媒体の色（反射率）によっても変化するので、スライスレベルｅを可変とすることもできる。
【００３０】
図１および図２は、本実施例の媒体ガイドである通帳背部を規制し移動可能な通帳ガイドを示す概略上面図である。図１は媒体取扱装置１の通帳カセット１１に実装されている通帳ガイド（以降、通帳上面ガイドとする）１７ａ、１７ｂが開いた状態を示し、図２は通帳上面ガイド１７ａ、１７ｂが閉じた状態を示す。
【００３１】
図１に示す通帳上面ガイド１７ａ、１７ｂは、通帳背部１４ａがフォトリフレクタ２５の動作時に触れないように所定の間隔を確保するために、通帳背部１４ａの突出をなくすためのものである。この通帳上面ガイド１７ａ、１７ｂには、長穴１８ａないし１８ｄが図示するように斜め方向に設けられている。
【００３２】
また通帳カセット１１側には、図３および図４に示すように上面ガイドブラケット２２ａ、２２ｂが設けられ、その上面ガイドブラケット２２ａ、２２ｂにはガイドポスト１９ａないし１９ｄが植設されている。そして、このガイドポスト１９ａないし１９ｄに前記長穴１８ａないし１８ｄが嵌入している。
【００３３】
したがって、通帳上面ガイド１７ａ、１７ｂはガイドポスト１９ａないし１９ｄに案内され、矢印Ｆ方向に平行移動が可能になる。なお、ガイドポスト１９ａないし１９ｄと長穴１８ａないし１８ｄ部には嵌入形状を維持するためのスナップリング等がはめ込まれているが、図示では省略している。
【００３４】
また、前記通帳上面ガイド１７ａ、１７ｂには、上面ガイドブラケット２２ａ、２２ｂとの間に図示しないスプリングが張設されており、通帳上面ガイド１７ａ、１７ｂは常時、図２に示すように通帳１４を装填する媒体装填空間内に突出する方向に付勢されている。
【００３５】
なお、上面ガイドブラケット２２ａ、２２ｂを設けることなく、通帳カセット１１側のフレーム自身にガイドポスト１９ａないし１９ｄを直接植設してもよいのは言うまでもない。
【００３６】
さらに、通帳上面ガイド１７ａ、１７ｂの一部（図１では下端側）には、押圧部材１５との当接部２０ａ、２０ｂが設けられており、押圧部材１５を矢印Ｅ方向に（図１では下方）に移動させると、押圧部材１５の一部と前記当接部２０ａ、２０ｂが衝突し、通帳上面ガイド１７ａ、１７ｂも移動する。すなわち長穴１８ａないし１８ｄがそれぞれガイドポスト１９ａないし１９ｄに案内され図１に示すような状態になる。
【００３７】
なお、押圧部材１５は先の通帳上面ガイド１７ａ、１７ｂのスプリング張力に抗して移動させるが、当接部２０ａ、２０ｂに衝突後の所定量だけ移動できるようにし、且つ、その位置で掛止させることができるようになっている。したがって、掛止状態では、押圧部材１５から手を離しても、押圧部材１５が通帳繰出し部１２側に向かって移動することはない。また、押圧部材１５を矢印Ｃ方向に移動させるときにはこのスプリングの張力に抗して操作することになる。
【００３８】
次に誤装填防止部としての突起部について説明する。通帳上面ガイド１７ｂには、先に説明した当接部２０ｂ以外に、さらに他の突起部２１が設けられている。この突起部２１は図１に示すように、少なくとも押圧部材１５が掛止状態のときには、通帳カセット１１本体より突出し、この突出状態のまま、すなわち、押圧部材１５が掛止状態を解除しないまま通帳証書繰出装置２に装着を試みると、図示しない装置側のフレーム等と干渉してしまい、解除忘れを気づかせることができる。
【００３９】
また、この突起部２１は押圧部材１５側に設けてもよい。なお、解除忘れがあったとき、本体側のフレームに干渉する際に自動的に解除されるように構成することもできるが、装填した通帳１４が装填量によっては倒れこむ場合もあるので、操作者により解除する方がよい。
【００４０】
図３は図１の下方向から見た通帳上面ガイドが開いた状態の概略図を示し、図４は図２の下方向から見た通帳上面ガイドが閉じた状態の概略図を示している。
【００４１】
通帳１４を装填する媒体装填空間内に突出している通帳上面ガイド１７ａ、１７ｂの側面は、図１に示すように通帳１４の装填の邪魔にならない位置に退避する。そして図３に示すように、操作者が装填した通帳１４が規制する高さｈを超え、突出したままの状態で押圧部材１５の掛止を解除すると、通帳背部１４ａ´と通帳上面ガイド１７ａ、１７ｂが干渉することになり、装填不良を気づかせることができる。
【００４２】
さらに、通帳上面ガイド１７ａ、１７ｂが干渉した状態では、図１に示す状態に近いので、このままの状態で通帳証書繰出装置２に通帳カセット１１のセットを試みると、突起部２１が突き出した状態のままなので、通帳証書繰出装置２にセットが出来ないため、容易に装填不良を認知させることができる。
【００４３】
（動作）
以上の構成により本実施例の媒体取扱装置１は、以下のように動作する。この動作を図１ないし図８の概略図および構成図およびフォトリフレクタの出力波形図を用いて通帳カセット１１を例に以下説明する。
【００４４】
まず、通帳証書繰出装置２の通帳カセット１１の内部に装填された通帳１４が、通帳繰出し部１２より繰出され、通帳証書キャリア２６に取込まれ搬送路３に送り込まれると、印字部６にて通帳１４の表紙に顧客の氏名、口座番号等が印字される。
【００４５】
通帳１４の表紙の印字が終了すると、通帳１４は改頁部４へ送られ、ここで該当する頁が開くように改頁が行われ、頁・印字済み行検出部５で頁情報が読取られ、図示しない制御部により印字の可否を確認した後、印字可の場合には再び印字部６へ搬送して当該該当する印字行に印字を行う。
【００４６】
通帳１４の印字処理が終了すると、磁気リード・ライト部７へ搬送され、通帳１４の磁気ストライプ２７に所定の情報が記録され、その後通帳証書排出部８より排出されて発行処理を終了する。なお、取込部１０に繰り越し前の通帳１４が待避している場合は続けて排出するが説明は省略する。
【００４７】
通帳発行処理動作が終了すると、図示しない記憶部に格納されている通帳冊数情報が更新（１冊減）される。ここで上位装置または操作者の指示入力により通帳１４の残数確認指示が発せられると、制御部は通帳冊数検知動作を行わせる。
【００４８】
通帳冊数検知は図６に示すように、通帳計数部１３におけるフォトリフレクタ２５を原点位置、例えば押圧部材１５側の所定位置に戻す、または当該位置で静止していることを確認する。
【００４９】
次に、発光素子２４の電気信号により光ａを発光しつつ、矢印Ｂ方向に走査し、光ａが通帳背部１４ａに反射した反射光ｂより受光素子２３が出力する出力信号ｃを得る。
【００５０】
そして、図示しない制御部は前記フォトリフレクタ２５からの出力信号ｃのスライスレベルｅを超えたピークｆを形成する回数を計数することで、通帳カセット１１に装填されている通帳冊数とする。このとき、図４に示すように、通帳背部１４ａが通帳上面ガイド１７ａ、１７ｂの下側に入り、規制する高さｈを超えて装填されていないため、フォトリフレクタ２５の出力は安定したものとなる。
【００５１】
新たな通帳１４を通帳カセット１１に装填する場合には、まず、通帳証書繰出装置２から通帳カセット１１を取り出して、図１に示すように押圧部材１５を矢印Ｅ方向に引き、前記掛止状態とさせる。このときには、当接部２０ａ、２０ｂと押圧部材１５が衝突し、さらに押圧部材１５の移動とともに通帳上面ガイド１７ａ、１７ｂが移動する。
【００５２】
すると、図１に示すように通帳１４を装填する媒体装填空間内に突出可能な通帳上面ガイド１７ａ、１７ｂの側面は、通帳１４の装填の邪魔にならないように退避している。なお、図１に示すように突起部２１は通帳カセット１１本体より突出していることは前述のとおりである。
【００５３】
操作者が所定の通帳１４を装填する。例えば、片手で通帳１４を媒体装填空間内の所定位置に挿入したら他の手で押圧部材１５の掛止を解除する。すると、スプリングの作用により押圧部材１５は通帳繰出し部１２側へ移動し、装填した通帳１４に所定の圧力を加えた状態で静止するので片手を離す。
【００５４】
一方、通帳上面ガイド１７ａ、１７ｂもスプリングの作用により押圧部材１５の移動に追従して移動する。この移動は、ガイドポスト１９ａないし１９ｄに嵌合する長穴１８ａないし１８ｄにより斜め方向に案内され、図２に示すように通帳装填空間内に突出する。
【００５５】
このとき、図３に示すように操作者が装填した通帳１４が規制する高さｈより突出していると、通帳背部１４ａ´と通帳上面ガイド１７ａ、１７ｂが干渉するので、操作者はセット不良であることを把握することができ、容易に修正できる。
【００５６】
なお、押圧部材１５を掛止したままの状態で通帳証書繰出装置２に通帳カセット１１のセットを試みると、突起部２１が突き出した状態のままなので、通帳証書繰出装置２にセットが出来ないため、容易に操作忘れを認知させることができる。
【００５７】
また、証書を発行する必要がある場合は、証書カセット１６より図示しない証書繰出し部より繰出され、通帳証書キャリア２６により搬送路３まで搬送され、印字部６にて印字が施され、通帳証書排出部８より排出される。そして、証書計数部２８が図示しない計数手段により証書の枚数の計数を行うが、説明は省略する。
【００５８】
なお、以上の実施例の説明では、突起部２１を通帳上面ガイド１７ｂに設けるように説明したが、通帳上面ガイド１７ａに設けるようにしてもよいし、両方に設けるようにしてもよいが、装置側に装填する際に早い段階で操作者に気づかせるためには、挿入方向（矢印Ｓ方向）の先端側が良いことは言うまでもない。
【００５９】
また、突起部２１を通帳カセット１１の外側に突出する構成として説明したが、通帳上面ガイド１７ａ、１７ｂの位置に応じてスイッチ等を押下し、通帳上面ガイド１７ａ、１７ｂが開いたままであることを図示しない制御部等に通知するようにしてもよい。
【００６０】
（実施例の他の効果）
以上のように、装填されている通帳背部の位置を規制する媒体上面ガイド部材を設けたので、以下に記載する効果も奏する。通帳カセットの挿抜にあたっては、まず操作者の所持するＩＤカード等で操作者を特定している。また、通帳カセットの挿抜の有無や前面扉の開閉を電気的に検出し、時刻情報と共に記録を残しているので、通帳の計数結果に相違が生じた場合には、前記操作者や日時を特定しての追跡調査や解析が可能となる。本発明の通帳カセットでは、通帳背部を通帳上面ガイド部材が覆っているので、装置への装着状態では通帳を抜き取ることができない。従って、計数結果に相違が生じたとき、通帳カセットの挿抜記録のない操作者は調査対象外とすることができ、原因究明時間が削減できる。
【産業上の利用可能性】
【００６１】
本発明は、通帳やカード等の大きさの揃った媒体を取扱う媒体取扱装置に広く用いることができる。
【図面の簡単な説明】
【００６２】
【図１】実施例の通帳上面ガイドの概略上面図である。
【図２】実施例の通帳上面ガイドの概略上面図である。
【図３】図１の下方向から見た通帳上面ガイドの概略図である。
【図４】図２の下方向から見た通帳上面ガイドの概略図である。
【図５】実施例の媒体取扱装置の構成図である。
【図６】実施例の通帳計数部および通帳カセットの概略側面図である。
【図７】実施例のフォトリフレクタの出力波形を説明する図である。
【図８】実施例の通帳構成を説明する図である。
【符号の説明】
【００６３】
１１    通帳カセット
１２    通帳繰出し部
１４    通帳
１４ａ  通帳背部
１５    押圧部材
１７ａ、１７ｂ    通帳上面ガイド
２１    突起部
【図１】
2008140239.tif 000003
【図２】
2008140239.tif 000004
【図３】
2008140239.tif 000005
【図４】
2008140239.tif 000006
【図５】
2008140239.tif 000007
【図６】
2008140239.tif 000008
【図７】
2008140239.tif 000009
【図８】
2008140239.tif 000010